(57)【要約】【課題】  本発明の目的は、浴室の衛生状態を良好なものに保ちながら運転コスト及び環境負荷の過剰増加を抑制し得る洗浄タイミングを適切に設定し、その適切な洗浄タイミングに洗浄運転を実行することができる浴室自動洗浄装置を提供する点にある。【解決手段】  浴室１に洗浄水を噴射する洗浄水噴射手段１１と、洗浄水噴射手段１１を作動させて浴室１を自動洗浄する洗浄運転を実行可能な自動洗浄制御手段Ｘとを備えた浴室自動洗浄装置において、浴室１において不衛生になり易さを示す不衛生関連値を検出する検出手段２２を備え、自動洗浄制御手段Ｘが、検出手段２２の検出結果に基づいて設定した洗浄タイミングに、洗浄運転を実行するように構成されている。【選択図】        図１
2006333909.tif 000002
【特許請求の範囲】
【請求項１】
浴室に洗浄水を噴射する洗浄水噴射手段と、
前記洗浄水噴射手段を作動させて前記浴室を自動洗浄する洗浄運転を実行可能な自動洗浄制御手段とを備えた浴室自動洗浄装置であって、
前記浴室において不衛生になり易さを示す不衛生関連値を検出する検出手段を備え、
前記自動洗浄制御手段が、前記検出手段の検出結果に基づいて、前記洗浄運転を実行するタイミングである洗浄タイミングを設定するように構成されている浴室自動洗浄装置。
【請求項２】
前記検出手段が、前記浴室の湿度及び前記浴室の温度の少なくとも一方を前記不衛生関連値として検出するように構成されている請求項１に記載の浴室自動洗浄装置。
【請求項３】
前記自動洗浄制御手段が、前記不衛生関連値が高いほど前記洗浄タイミングのインターバルが短くなるように、前記洗浄タイミングを設定する請求項１又は２に記載の浴室自動洗浄装置。
【請求項４】
前記自動洗浄制御手段が、単位時間毎に前記不衛生関連値が設定値以上であるか否かを判定し、前記不衛生関連値が設定値以上であると判定した場合に加算する不衛生ポイントが設定ポイントに達した時期を前記洗浄タイミングとする請求項１又は２に記載の浴室自動洗浄装置。
【請求項５】
前記自動洗浄制御手段が、前記洗浄タイミングになったことを利用者に通知し、洗浄開始指令が入力されたときに前記洗浄運転を実行するように構成されている請求項１〜４の何れか一項に記載の浴室自動洗浄装置。
【請求項６】
前記自動洗浄制御手段が、前記洗浄タイミングになり且つ予め設定された浴室不使用時間帯になったときに、前記洗浄運転を実行するように構成されている請求項１〜５の何れか一項に記載の浴室自動洗浄装置。
【請求項７】
前記浴室における人体の存在を検出する人体検出手段を備え、
前記自動洗浄制御手段が、前記洗浄タイミングになり且つ前記人体検出手段により前記人体の存在を検出しなくなったときに、前記洗浄運転を実行するように構成されている請求項１〜６の何れか一項に記載の浴室自動洗浄装置。
【請求項８】
前記洗浄水噴射手段として、前記浴室の床面に局所的に洗浄水を噴射する床面用洗浄水噴射手段と、前記浴室全体に洗浄水を噴射する全体用洗浄水噴射手段とを夫々備え、
前記自動洗浄制御手段が、前記洗浄運転として、前記床面用洗浄水噴射手段を作動させる床面洗浄運転と、前記洗浄運転としての前記全体用洗浄水噴射手段を作動させる全体洗浄運転とを、各別に実行可能に構成され、且つ、前記床面洗浄運転を実行する前記洗浄タイミングである床面洗浄タイミングのインターバルを、前記全体洗浄運転を実行する前記洗浄タイミングである全体洗浄タイミングのインターバルよりも短く設定する請求項１〜７の何れか一項に記載の浴室自動洗浄装置。
【請求項９】
浴室に洗浄水を噴射する洗浄水噴射手段と、
前記洗浄水噴射手段を作動させて前記浴室を自動洗浄する洗浄運転を実行可能な自動洗浄制御手段とを備えた浴室自動洗浄装置であって、
前記洗浄水噴射手段として、前記浴室の床面に局所的に洗浄水を噴射する床面用洗浄水噴射手段と、前記浴室全体に洗浄水を噴射する全体用洗浄水噴射手段とを夫々備え、
前記自動洗浄制御手段が、前記洗浄運転として、前記床面用洗浄水噴射手段を作動させる床面洗浄運転と、前記洗浄運転としての前記全体用洗浄水噴射手段を作動させる全体洗浄運転とを、各別に実行可能に構成されている浴室自動洗浄装置。
【発明の詳細な説明】
【技術分野】
【０００１】
本発明は、浴室に洗浄水を噴射する洗浄水噴射手段と、
前記洗浄水噴射手段を作動させて前記浴室を自動洗浄する洗浄運転を実行可能な自動洗浄制御手段とを備えた浴室自動洗浄装置に関する。
【背景技術】
【０００２】
従来、浴室を自動的に洗浄する浴室自動洗浄装置が知られている（例えば、特許文献１、特許文献２、及び、特許文献３を参照。）。
【０００３】
かかる従来の浴室自動洗浄装置は、適宜給湯暖房機などで加熱された水、洗浄用の薬剤が混入された水、又は、水を電解水生成装置で電解処理して生成された電解水などが洗浄水として供給され、その洗浄水を浴室の天井や壁面に設けられた噴射ノズルから浴室に噴射する洗浄水噴射手段と、その洗浄水噴射手段を作動させて浴室を自動洗浄する洗浄運転を実行する自動洗浄制御手段とを備えて構成されている。
【０００４】
また、従来の浴室自動洗浄装置において、自動洗浄制御手段は、利用者により洗浄開始スイッチが押圧されることにより洗浄開始指令が入力されたときに洗浄運転を実行するように構成されている。即ち、洗浄運転を実行して浴室を洗浄する時期については、利用者の判断により決定される。
【０００５】
【特許文献１】特願平８−２０９９５７号公報
【特許文献２】特開２００２−８１８６１号公報
【特許文献３】特開２００４−２９０３９７号公報
【発明の開示】
【発明が解決しようとする課題】
【０００６】
上記のような浴室自動洗浄装置において、洗浄運転を実行する洗浄タイミングのインターバルが長すぎる、即ち浴室の洗浄を怠ると、カビや細菌（アレルゲンなど）が発生して不衛生になりやすく、アレルギー発生などの健康被害の原因になると考えられている。
一方、洗浄運転を実行する洗浄タイミングのインターバルが短すぎる、即ち浴室を頻繁に洗浄しすぎると、洗浄水等の浪費により、運転コスト及び環境負荷が過剰に増加する。
よって、利用者は、洗浄運転を実行する最適な時期を判断するべきであるが、季節や浴室の仕様条件等によりその最適な時期は異なるので、現実的に利用者自身がそのような最適な時期を判断することは困難である。
【０００７】
本発明は、上記の課題に鑑みてなされたものであり、その目的は、浴室の衛生状態を良好なものに保ちながら運転コスト及び環境負荷の過剰増加を抑制し得る洗浄タイミングを適切に設定し、その適切な洗浄タイミングに洗浄運転を実行することができる浴室自動洗浄装置を提供する点にある。
【課題を解決するための手段】
【０００８】
上記目的を達成するための本発明に係る浴室自動洗浄装置は、浴室に洗浄水を噴射する洗浄水噴射手段と、
前記洗浄水噴射手段を作動させて前記浴室を自動洗浄する洗浄運転を実行可能な自動洗浄制御手段とを備えた浴室自動洗浄装置であって、その第１特徴構成は、前記浴室において不衛生になり易さを示す不衛生関連値を検出する検出手段を備え、
前記自動洗浄制御手段が、前記検出手段の検出結果に基づいて、前記洗浄運転を実行するタイミングである洗浄タイミングを設定するように構成されている点にある。
【０００９】
上記第１特徴構成によれば、上記検出手段により浴室において不衛生になり易さを示す不衛生関連値を検出することで、その検出結果から、浴室が不衛生であるか否かを認識することができる。よって、上記自動洗浄制御手段は、その検出手段により検出された不衛生関連値に基づいて、浴室の衛生状態を良好なものに保ちながら運転コスト及び環境負荷の過剰増加を抑制し得る適切な洗浄タイミングを設定し、その適切な洗浄タイミングに浴室洗浄運転を実行することができる。
【００１０】
本発明に係る浴室自動洗浄装置の第２特徴構成は、上記第１特徴構成に加えて、前記検出手段が、前記浴室の湿度及び前記浴室の温度の少なくとも一方を前記不衛生関連値として検出するように構成されている点にある。
【００１１】
即ち、浴室において湿度又は温度が高いほどカビや細菌などが繁殖して不衛生になり易いと判断できることから、上記第２特徴構成によれば、上記検出手段がその湿度及び温度の少なくとも一方を不衛生関連値として検出することで、上記自動洗浄制御手段は、その検出手段で検出された湿度や温度に基づいて適切な洗浄タイミングを設定することができる。
【００１２】
本発明に係る浴室自動洗浄装置の第３特徴構成は、上記第１乃至第２特徴構成に加えて、前記自動洗浄制御手段が、前記不衛生関連値が高いほど前記洗浄タイミングのインターバルが短くなるように、前記洗浄タイミングを設定する点にある。
【００１３】
上記第３特徴構成によれば、上記自動洗浄制御手段が、不衛生関連値が高いほど、浴室が不衛生である可能性が高いことから、洗浄タイミングのインターバルが短くなるように、即ち前に洗浄運転を実行した時点から次回の洗浄タイミングまでの間隔が短くなるように、洗浄タイミングを設定することで、不衛生関連値が比較的高い場合には、頻繁に洗浄運転を実行して浴室の衛生状態を良好なものに保つことができ、逆に、不衛生関連値が比較的低い場合には、洗浄運転の実行を抑制して運転コスト及び環境負荷の過剰増加を抑制することができる。
【００１４】
本発明に係る浴室自動洗浄装置の第４特徴構成は、上記第１乃至第２特徴構成に加えて、前記自動洗浄制御手段が、単位時間毎に前記不衛生関連値が設定値以上であるか否かを判定し、前記不衛生関連値が設定値以上であると判定した場合に加算する不衛生ポイントが設定ポイントに達した時期を前記洗浄タイミングとする点にある。
【００１５】
上記第４特徴構成によれば、上記自動洗浄制御手段が、１時間等の単位時間毎に不衛生関連値が設定値以上であるか否か即ち浴室が不衛生になり易いか否かを判定して上記不衛生ポイントに１または一定値を加算し、前に洗浄運転を実行した時点から加算する上記不衛生ポイントが設定ポイントに達した時期を洗浄タイミングとして、洗浄運転を実行することができる。よって、浴室において不衛生関連値が比較的高い時期が多い場合には、不衛生ポイントが設定ポイントに達するまでの期間が比較的短くなることから、頻繁に洗浄運転を実行して、浴室の衛生状態を良好なものに保つことができ、逆に、浴室において不衛生関連値が比較的高い時期が少ない場合には、不衛生ポイントが設定ポイントに達するまでの期間が比較的長くなることから、洗浄運転の実行を抑制して運転コスト及び環境負荷の過剰増加を抑制することができる。
【００１６】
本発明に係る浴室自動洗浄装置の第５特徴構成は、上記特徴構成の何れかに加えて、前記自動洗浄制御手段が、前記洗浄タイミングになったことを利用者に通知し、洗浄開始指令が入力されたときに前記洗浄運転を実行するように構成されている点にある。
【００１７】
上記第５特徴構成によれば、上記自動洗浄制御手段は、洗浄タイミングになると、直ぐに洗浄運転を実行するのではなく、そのことを利用者に通知することにより、利用者はその時期に洗浄運転を行うことで浴室の衛生状態を良好なものに保ちながら運転コスト及び環境負荷の過剰増加を抑制し得ることを認識することができる。そして、そのように洗浄タイミングを認識した利用者により洗浄開始スイッチが押圧されるなどにより洗浄開始指令が入力されたときに洗浄運転を実行することで、利用者が浴室に居るときや浴室で洗濯物を乾かしているときに不意に洗浄運転が実行されたことで不都合が生じることを防止し、利用者の都合に応じて洗浄運転を実行することができる。
【００１８】
本発明に係る浴室自動洗浄装置の第６特徴構成は、上記特徴構成の何れかに加えて、前記自動洗浄制御手段が、前記洗浄タイミングになり且つ予め設定された浴室不使用時間帯になったときに、前記洗浄運転を実行するように構成されている点にある。
【００１９】
上記第６特徴構成によれば、上記自動洗浄制御手段は、洗浄タイミングになると、その時点が、利用者が浴室を利用しない時間帯として設定された浴室不使用時間帯である場合には、直ぐに洗浄運転を実行し、一方、その時点が上記浴室不使用時間帯でない場合には、次に浴室不使用時間帯になったときに洗浄運転を実行する。よって、上記浴室不使用時間帯以外の時間帯において利用者が浴室に居るときや浴室で洗濯物を乾かしているときに不意に洗浄運転が実行され不都合が生じることを防止することができ、浴室不使用時間帯に合わせて洗浄運転を実行することができる。
【００２０】
本発明に係る浴室自動洗浄装置の第７特徴構成は、上記特徴構成の何れかに加えて、前記浴室における人体の存在を検出する人体検出手段を備え、
前記自動洗浄制御手段が、前記洗浄タイミングになり且つ前記人体検出手段により前記人体の存在を検出しなくなったときに、前記洗浄運転を実行するように構成されている点にある。
【００２１】
上記第７特徴構成によれば、上記自動洗浄制御手段は、洗浄タイミングになると、その時点で上記人体検出手段により人体の存在を検出しておらず浴室に利用者が居ないと判断できるときには、直ぐに洗浄運転を実行し、その時点で上記人体検出手段により人体の存在を検出しており浴室に利用者が居ると判断できるときには、次に上記人体検出手段で人体の存在を確実に検出しなくなったときに洗浄運転を実行することで、利用者が浴室に居るときに不意に洗浄運転が実行され不都合が生じることを防止することができ、浴室からの利用者の退去に合わせて洗浄運転を実行することができる。
【００２２】
本発明に係る浴室自動洗浄装置の第８特徴構成は、上記特徴構成の何れかに加えて、前記洗浄水噴射手段として、前記浴室の床面に局所的に洗浄水を噴射する床面用洗浄水噴射手段と、前記浴室全体に洗浄水を噴射する全体用洗浄水噴射手段とを夫々備え、
前記自動洗浄制御手段が、前記洗浄運転として、前記床面用洗浄水噴射手段を作動させる床面洗浄運転と、前記洗浄運転としての前記全体用洗浄水噴射手段を作動させる全体洗浄運転とを、各別に実行可能に構成され、且つ、前記床面洗浄運転を実行する前記洗浄タイミングである床面洗浄タイミングのインターバルを、前記全体洗浄運転を実行する前記洗浄タイミングである全体洗浄タイミングのインターバルよりも短く設定する点にある。
【００２３】
上記第８特徴構成によれば、上記全体用洗浄水噴射手段とは別に、上記床面用洗浄水噴射手段を備え、上記自動洗浄制御手段が、不衛生関連値に基づいて上記床面用洗浄タイミング及び上記全体洗浄タイミングを設定する際に、上記床面洗浄運転を実行する床面用洗浄タイミングのインターバルを、上記全体洗浄運転を実行する全体洗浄タイミングのインターバルよりも短く設定することで、比較的頻繁に上記床面洗浄運転を実行して、比較的不衛生になり易い床面の衛生状態を良好なものに保ちながら、その床面洗浄運転よりは低頻度で上記全体洗浄運転を実行して、運転コスト及び環境負荷の過剰増加を抑制することができる。
【００２４】
本発明に係る浴室自動洗浄装置の第９特徴構成は、前記洗浄水噴射手段として、前記浴室の床面に局所的に洗浄水を噴射する床面用洗浄水噴射手段と、前記浴室全体に洗浄水を噴射する全体用洗浄水噴射手段とを夫々備え、
前記自動洗浄制御手段が、前記洗浄運転として、前記床面用洗浄水噴射手段を作動させる床面洗浄運転と、前記洗浄運転としての前記全体用洗浄水噴射手段を作動させる全体洗浄運転とを、各別に実行可能に構成されている点にある。
【００２５】
上記第９特徴構成によれば、上記全体用洗浄水噴射手段とは別に、上記床面用洗浄水噴射手段を備え、上記自動洗浄制御手段が、上記床面洗浄運転と上記全体洗浄運転とを各別に実行可能に構成されているので、例えば、比較的頻繁に上記床面洗浄運転を実行して、比較的不衛生になり易い床面の衛生状態を良好なものに保ちながら、その床面洗浄運転よりは低頻度で上記全体洗浄運転を実行して、運転コスト及び環境負荷の過剰増加を抑制するなど、適宜床面洗浄運転と全体洗浄運転を実行することができる。
【発明を実施するための最良の形態】
【００２６】
本発明に係る浴室自動洗浄装置の実施の形態について、図面に基づいて説明する。
図１は、浴室自動洗浄装置を設置した浴室１の状態を示している。
かかる浴室１は、入退室のためのドア２、浴槽３、洗い場である床面４等が設けられた一般的なものであり、更には、その天井部には、浴室暖房乾燥機５０が設けられている。
【００２７】
かかる浴室暖房乾燥機５０は、浴室１から外部に通じる換気路５１に、換気用ファン５２を設け、浴室１の空気が循環する循環路５３に、循環ファン５４及び給湯暖房機４０との間で循環する温水と循環路５３を流通する空気との熱交換を行う熱交換器５５を設けて構成されている。
【００２８】
そして、コンピュータからなる制御装置３０は、換気用ファン５２を作動させて浴室１の空気を外部に排出する換気運転、循環ファン５４を作動させながら熱交換器５５に温水を循環させて浴室１の空気を加熱する暖房運転、上記換気運転及び上記暖房運転を同時に実行することにより浴室１を乾燥する乾燥運転を夫々実行可能に構成されている。また、これら夫々の運転は、浴室１の側壁に設けられたリモコン２０の操作により開始又は停止することができる。
【００２９】
本実施形態において、浴室１に設けられた浴室自動洗浄装置は、上記浴室暖房乾燥機５０の機能の一部として構成されており、以下、その詳細構成について説明する。
【００３０】
浴室自動洗浄装置は、浴室１に洗浄水を噴射する噴射ノズル１１（洗浄水噴射手段の一例）を備え、更に、制御装置３０が、噴射ノズル１１を作動させて浴室１を自動洗浄する洗浄運転を実行可能な自動洗浄制御手段Ｘとして機能するように構成されている。
かかる噴射ノズル１１は、公知の液体用噴射ノズルを利用することができる。また、噴射範囲を拡大するべく、複数の噴射ノズル１１を配置したノズルユニットや、噴射方向を変更自在なスプリンクラー等を、上記噴射ノズル１１として利用することができ、更には、噴射ノズル１１の噴射方向を自動的に変更可能なアクチュエータを設けても構わない。
【００３１】
浴室１には、洗浄用の薬剤が貯留された薬剤容器１３が着脱自在に設置されており、噴射ノズル１１は、供給ポンプ１４により薬剤容器１３に貯留されている薬剤が混入された水が洗浄水として供給されるように構成されている。尚、かかる薬剤としては、４級アンモニウム塩、次亜塩素酸、エタノール等が利用できる。
尚、上記噴射ノズル１１に供給する洗浄水としては、上記薬剤が混入された水以外に、給湯暖房機４０により加熱された水や、電解水生成装置で水道水を電解処理して生成された電解水などの公知の洗浄水を用いることができる。
【００３２】
そして、自動洗浄制御手段Ｘは、洗浄運転において、まず、噴射ノズル１１への洗浄水の供給を断続可能な開閉弁１２を開状態とした状態で供給ポンプ１４を作動して、水に上記薬剤を混入して生成された洗浄水を噴射ノズル１１に供給し、噴射ノズル１１から浴室１に洗浄水を噴射して、浴室１を自動洗浄するように構成されている。
【００３３】
更に、上記噴射ノズル１１としては、浴室１の側壁（詳しくはカウンタの下）に設置され、浴室１の床面４に局所的に洗浄水を噴射する床面用噴射ノズル１１ａ（床面用洗浄水噴射手段の一例）と、浴室１の天井に設置され、浴室１全体に洗浄水を噴射する全体用噴射ノズル１１ｂ（全体用洗浄水噴射手段の一例）とが夫々備えられており、開閉弁１２として、床面噴射ノズル１１ａへの洗浄水の供給を断続可能な床面用開閉弁１２ａと、全体用噴射ノズル１１ｂへの洗浄水の供給を断続可能な全体用開閉弁１２ｂとが設けられている。
【００３４】
よって、自動洗浄制御手段Ｘは、洗浄運転として、床面用噴射ノズル１１ａのみを作動状態とする、即ち、床面用開閉弁１２ａを開状態とし全体用開閉弁１２ａを閉状態として、洗浄水を床面用噴射ノズル１１ａへ供給して床面４に噴射する床面洗浄運転と、全体用噴射ノズル１１ｂのみを作動状態とする、即ち、床面用開閉弁１２ａを閉状態とし全体用開閉弁１２ａを開状態として、洗浄水を全体用噴射ノズル１１ａへ供給して浴室１全体に噴射する全体洗浄運転とを、各別に実行可能に構成されている。尚、当然、床面用噴射ノズル１１ａと全体用噴射ノズル１１ｂの両方を作動させて、床面洗浄運転と全体洗浄運転とを同時に実行しても構わない。
【００３５】
また、自動洗浄制御手段Ｘは、この洗浄運転を、詳細については後述するが適切な洗浄タイミングに自動的に行う以外に、リモコン２０の操作により開始又は終了することができ、更に、かかる洗浄運転を、予め設定された時間の間実行して自動的に終了するように構成されている。
【００３６】
更に、浴室自動洗浄装置は、適切な設定時期洗浄タイミングに洗浄運転を自動的に実行することで、浴室１の衛生状態を良好なものに保ちながら運転コスト及び環境負荷の過剰増加を抑制し得る洗浄タイミングを適切に設定し、その適切な洗浄タイミングに洗浄運転を実行することができるように構成されており、その詳細構成について、以下に説明する。
【００３７】
浴室１に設置されたリモコン２０には、浴室１において不衛生になり易さを示す不衛生関連値を検出する検出手段として、浴室１の湿度を上記不衛生関連値として検出する湿度センサ２１や、浴室１の温度を上記不衛生関連値として検出する温度センサ２２等が設けられている。
更に、自動洗浄制御手段Ｘは、かかるの検出結果、例えば湿度センサ２１で検出された浴室１の湿度及び温度センサ２２で検出された浴室１の温度の一方又は両方、に基づいて設定した洗浄タイミングに、上述した洗浄運転を実行することで、浴室１の衛生状態を良好なものに保ちながら運転コスト及び環境負荷の過剰増加を抑制するように構成されている。
【００３８】
即ち、浴室１において湿度センサ２１で検出される湿度が高いほど又は温度センサ２２で検出される温度が高いほど、カビや細菌などが繁殖して不衛生になり易いと判断できる。そこで、自動洗浄制御手段Ｘは、その検出された湿度に基づいて、洗浄運転を実行する洗浄タイミングを適切なものに設定するのである。
【００３９】
以下、自動洗浄制御手段Ｘにより実行される洗浄タイミングを適切なものに設定する方法の具体例としての第１〜第４洗浄時期設定方法について説明する。
【００４０】
〔第１洗浄時期設定方法〕
第１洗浄時期設定方法について、図２のフロー図に基づいて説明する。
かかる第１洗浄時期設定方法では、単位時間（例えば１時間）毎に、不衛生関連値として湿度センサ２１で検出される湿度ｈが設定値Ｈ以上であるか否かが判定され、湿度ｈが設定値Ｈ以上であると判定された場合に加算する不衛生ポイントｐが設定ポイントＰに達した時期が洗浄タイミングとされる。
【００４１】
具体的には、図２に示すように、前に本処理フローを実行した時点から単位時間が経過したか否かが判定され（ステップ＃１１）、単位時間が経過した場合には、まず、湿度センサ２１により浴室１の湿度ｈが検出される（ステップ＃１２）。
【００４２】
次に、その湿度ｈが設定値Ｈ（例えば９０％）以上であるか否かが判定され（ステップ＃１３）、湿度ｈが設定値Ｈ以上である場合には、不衛生ポイントｐに１が加算される（ステップ＃１４）。
【００４３】
この不衛生ポイントｐが予め設定された設定ポイントＰ（例えば１０ポイント）に達しているか否かが判定され（ステップ＃１５）、不衛生ポイントｐが設定ポイントＰに達した時期が洗浄タイミングとされて、上述した洗浄運転が実行され（ステップ＃１６）、噴射ノズル１１から浴室１に洗浄水が噴射され、浴室１の衛生状態が良好なものに保たれる。
【００４４】
更に、上記ステップ＃１６において自動洗浄運転が実行された後には、換気用ファン５２及び循環ファン５４の両方を作動させて浴室１の空気を外部に排出しながら熱交換器５５により浴室１の空気を加熱することで浴室１を乾燥する乾燥運転が一定時間実行され（ステップ＃１７）、上記不衛生ポイントｐが０にリセットされる（ステップ＃１８）。
【００４５】
よって、上記のような第１洗浄時期設定方法により、梅雨時や夏季のような多湿時期である場合や頻繁に浴室１を利用して入浴した場合などのように、浴室１の不衛生関連値としての湿度ｈが高くなることが多い場合には、不衛生ポイントｐが設定ポイントＰに達するまでの期間が比較的短くなるので、頻繁に洗浄運転が実行されるので、浴室１の衛生状態が良好なものに保たれる。
一方、冬季のような乾燥時期である場合やあまり浴室１を利用していない場合などのように、浴室１の不衛生関連値としての湿度ｈが高くなることが少ない場合には、不衛生ポイントｐが設定ポイントＰに達するまでの期間が比較的長くなるので、洗浄運転の実行が抑制されて運転コスト及び環境負荷の過剰増加が抑制される。
【００４６】
〔第２洗浄時期設定方法〕
第２洗浄時期設定方法について、図３のフロー図に基づいて説明する。
かかる第２洗浄時期設定方法では、上記第１洗浄時期設定方法と同様に、単位時間（例えば１時間）毎に、不衛生関連値として湿度センサ２１で検出される湿度ｈが設定値Ｈ以上であるか否かが判定され、湿度ｈが設定値Ｈ以上であると判定された場合に加算する不衛生ポイントｐが設定ポイントＰに達した時期が洗浄タイミングとされるのであるが、更に、上述した床面洗浄運転を実行する洗浄タイミングである床面洗浄タイミングのインターバルが、上述した全体洗浄運転を実行する洗浄タイミングである全体洗浄タイミングのインターバルよりも短く設定される。
【００４７】
具体的には、図３に示すように、前に本処理フローを実行した時点から単位時間が経過したか否かが判定され（ステップ＃２１）、単位時間が経過した場合には、まず、湿度センサ２１により浴室１の湿度ｈが検出される（ステップ＃２２）。
【００４８】
次に、その湿度ｈが設定値Ｈ（例えば９０％）以上であるか否かが判定され（ステップ＃２２）、湿度ｈが設定値Ｈ以上である場合には、不衛生ポイントｐである床面用不衛生ポイントｐａ及び全体用不衛生ポイントｐｂの夫々に１が加算される（ステップ＃２４）。
【００４９】
そして、まず、全体用不衛生ポイントｐｂが予め設定された全体用設定ポイントＰｂ（例えば１０ポイント）に達しているか否かが判定され（ステップ＃２５）、全体用不衛生ポイントｐｂが全体用設定ポイントＰｂに達した時期が全体洗浄タイミングとされて、上述した全体洗浄運転が実行され（ステップ＃２６）、浴室１の天井に設けられた全体用噴射ノズル１１ｂから浴室１全体に洗浄水が噴射され、浴室１全体の衛生状態が良好なものに保たれる。
更に、上記ステップ＃２６において全体洗浄運転が実行された後には、乾燥運転が一定時間実行され（ステップ＃２７）、上記全体用不衛生ポイントｐｂ更には後述する床面用不衛生ポイントｐａが０にリセットされる（ステップ＃２８）。
【００５０】
また、上記ステップ＃２５において全体用不衛生ポイントｐｂが全体用設定ポイントＰｂに達していない場合には、床面用不衛生ポイントｐａが予め設定された上記全体用設定ポイントＰｂよりも小さい床面用設定ポイントＰａ（例えば５ポイント）に達しているか否かが判定され（ステップ＃２９）、床面用不衛生ポイントｐａが床面用設定ポイントＰａに達した時期が床面洗浄タイミングとされて、上述した床面洗浄運転が実行され（ステップ＃３０）、浴室１の側壁に設けられた床面用噴射ノズル１１ａから浴室１の床面４に局所的に洗浄水が噴射され、浴室１の床面４の衛生状態が良好なものに保たれる。
更に、上記ステップ＃３０において床面洗浄運転が実行された後には、乾燥運転が一定時間実行され（ステップ＃３１）、上床面用不衛生ポイントｐａが０にリセットされる（ステップ＃３２）。
【００５１】
そして、上記床面用設定ポイントＰａが、上記全体用設定ポイントＰｂよりも小さく設定されている。よって、床面洗浄運転（ステップ＃３０）を実行する洗浄タイミングである床面洗浄タイミングのインターバルが、全体洗浄運転（ステップ＃２６）を実行する洗浄タイミングである全体洗浄タイミングのインターバルよりも短く設定されていることになり、比較的不衛生になり易い床面４の衛生状態を良好なものに保たれ、更に、その床面洗浄運転よりは低頻度で上記全体洗浄運転が実行されて、運転コスト及び環境負荷の過剰増加が抑制される。
【００５２】
また、第２洗浄時期設定方法では、不衛生関連値としての湿度ｈに基づいて床面洗浄タイミングや全体洗浄タイミングを設定するように構成したが、別に、自動洗浄制御手段Ｘが、このような不衛生関連値を用いることなく、床面洗浄運転と全体洗浄運転とを、各別に実行可能に構成されているだけでも、利用者は、床面４については頻繁に床面洗浄運転を実行して比較的不衛生になり易い床面４の衛生状態を良好なものに保ち、浴室１全体については低頻度で全体洗浄運転を実行して運転コスト及び環境負荷の過剰増加を抑制することができる。
【００５３】
〔第３洗浄時期設定方法〕
第３洗浄時期設定方法について、図４のフロー図に基づいて説明する。
かかる第３洗浄時期設定方法では、不衛生関連値として湿度センサ２１で検出される湿度ｈが高いほど、浴室１が不衛生である可能性が高いことから、洗浄運転を実行する洗浄タイミングのインターバルが短くなるように、洗浄タイミングが設定される。
即ち、第３洗浄時期設定方法では、自動洗浄運転手段Ｘにより、洗浄運転を所定の設定周期Ｔ毎に実行されると共に、湿度ｈの平均値である平均湿度ｈａｖｅが高いほどその設定周期Ｔが短くなるように調整される。
【００５４】
具体的には、図４に示すように、湿度センサ２１により浴室１の湿度ｈが検出され（ステップ＃４１）、その検出された湿度ｈがメモリ等の記憶媒体に記憶される。
そして、その記憶された夫々の湿度ｈを用いて、前回洗浄運転を実行した洗浄時点（以下、「前回洗浄時点」と呼ぶ。）からの平均湿度ｈａｖｅが算出され（ステップ＃４２）、その平均湿度ｈａｖｅが予め設定された設定湿度Ｈａｖｅ（例えば、７０％）以上であるか否かを判定される（ステップ＃４３）。
【００５５】
次に、その平均湿度ｈａｖｅが設定湿度Ｈａｖｅ未満である場合には、洗浄運転を実行する設定周期Ｔを比較的長い周期ＴＬ（例えば、１週間）に設定され（ステップ＃４４）、一方、その平均湿度ｈａｖｅが設定湿度Ｈａｖｅ以上である場合には、洗浄運転を実行する設定周期Ｔを上記周期ＴＬよりも短い周期ＴＳ（例えば、３日）に設定される（ステップ＃４５）。
【００５６】
そして、前回洗浄時点からの経過時間ｔが計測され（ステップ＃４６）、その経過時間ｔが設定周期Ｔに達したか否かを判定され（ステップ＃４７）、経過時間ｔが設定周期Ｔに達した時点が洗浄タイミングとされて、上述した洗浄運転が実行され（ステップ＃４８）、後に乾燥運転が一定時間実行される（ステップ＃４９）。
【００５７】
よって、平均湿度ｈａｖｅが比較的高い場合には、頻繁に洗浄運転を実行して浴室の衛生状態が良好なものに保たれ、逆に、平均湿度ｈａｖｅが比較的低い場合には、洗浄運転の実行を抑制して運転コスト及び環境負荷の過剰増加が抑制される。
【００５８】
〔第４洗浄時期設定方法〕
第４洗浄時期設定方法について、図５のフロー図に基づいて説明する。
かかる第４洗浄時期設定方法では、検出手段は、単位時間（例えば１時間）毎に、不衛生関連値として湿度センサ２１により浴室１の湿度ｈを検出するのに加えて、温度センサ２２により浴室１の温度を検出する。そして、上記第１洗浄時期設定方法と同様に、不衛生関連値として湿度センサ２１で検出される湿度ｈが設定値Ｈ以上である場合に、不衛生ポイントｐを加算し、更には、不衛生関連値として温度センサ２２で検出される温度ｔが設定値Ｔ以上である場合にも、不衛生ポイントｐを加算することで、自動洗浄制御手段Ｘにより、それら湿度ｈと温度ｔの複数の不衛生関連値に基づいて洗浄運転を実行する洗浄タイミングが設定される。
【００５９】
具体的には、図５に示すように、前に本処理フローを実行した時点から単位時間が経過したか否かが判定され（ステップ＃５１）、単位時間が経過した場合には、まず、湿度センサ２１により浴室１の湿度ｈが検出され、更には、温度センサ２２により浴室１の温度Ｔが検出される（ステップ＃５２）。
【００６０】
次に、上記湿度ｈが設定値Ｈ（例えば９０％）以上であるか否かが判定され（ステップ＃５３）、湿度ｈが設定値Ｈ以上である場合には、不衛生ポイントｐに一定ポイントｐｈ（例えば１）が加算される（ステップ＃５４）。
【００６１】
更に、上記温度ｔが設定値Ｔ（例えば１０°）以上であるか否かが判定され（ステップ＃５５）、温度ｔが設定値Ｔ以上である場合には、不衛生ポイントｐに一定ポイントｐｔ（例えば１）が加算される（ステップ＃５６）。
【００６２】
そして、上述した第１洗浄時期設定方法と同様に、この不衛生ポイントｐが予め設定された設定ポイントＰ（例えば１０ポイント）に達しているか否かが判定され（ステップ＃５７）、不衛生ポイントｐが設定ポイントＰに達した時期が洗浄タイミングとされて、上述した洗浄運転が実行され（ステップ＃５８）、噴射ノズル１１から浴室１に洗浄水が噴射され、浴室１の衛生状態が良好なものに保たれ、更には、乾燥運転が一定時間実行され（ステップ＃５９）、上記不衛生ポイントｐが０にリセットされる（ステップ＃６０）。
【００６３】
よって、上記のような第４洗浄時期設定方法により、浴室１の湿度や温度が高い場合には、不衛生ポイントｐが設定ポイントＰに達するまでの期間が比較的短くなるので、頻繁に洗浄運転が実行されるので、浴室１の衛生状態が良好なものに保たれる。
また、上記湿度ｈに対して設定される設定値Ｈと上記温度ｔに対して設定される設定値Ｔとの間のバランスを調整したり、又は、湿度ｈが設定値Ｈ以上であったときに不衛生ポイントｐに加算される一定ポイントｐｈと温度ｔが設定値Ｔ以上であったときに不衛生ポイントｐに加算される一定ポイントｐｔとの間のバランスを調整することにより、洗浄タイミングのインターパルに対する湿度ｈと温度Ｔとの夫々の影響度合いを適切に調整することができる。
【００６４】
また、この第４洗浄時期設定方法では、不衛生関連値としての温度ｔが高いほど頻繁に洗浄運転が実行されるが、例えば、冬場などの外気温度が比較的低い時期においても、入浴により比較的温暖となった浴室内の空気が比較的冷たい壁面に接触することにより結露水が多量に生成され、更にはその結露水が蒸発し難い等の理由で、カビや細菌などが繁殖して不衛生になり易い場合がある。そこで、浴室１の一定時間内の温度変化量や外気と浴室１内との温度差などを上記不衛生関連値として検出し、その温度変化量や温度差などが大きい場合に頻繁に洗浄運転が実行されるように構成しても構わない。
【００６５】
また、不衛生関連値として上記湿度ｈや温度ｔ以外の一種又は複数種の浴室１の状態を検出し、それら一種又は複数種の不衛生関連値に基づいて洗浄運転を実行する洗浄タイミングを設定しても構わない。
【００６６】
上述したように適切なものに設定された洗浄タイミングになると自動洗浄制御手段Ｘは洗浄運転を自動的に実行しては構わないが、利用者が浴室１に居るときや浴室１で洗濯物を乾かしているときに不意に洗浄運転が実行されることで不都合が生じることがある。
そこで、このような不都合を回避するための洗浄運転の実行方法の具体例としての第１〜第３洗浄運転実行方法について、以下に説明する。
【００６７】
〔第１洗浄運転実行方法〕
図１を参照して、第１洗浄運転実行方法では、自動洗浄制御手段Ｘは、洗浄タイミングになったときに、浴室１に設置されたリモコン２０の表示部２３に「洗浄開始スイッチを押して浴室を洗浄してください。」のメッセージを表示するなどして、洗浄タイミングになったことを利用者に通知し、同リモコン２０に設けられた洗浄開始スイッチ２４が押圧されて洗浄開始指令が入力されたときに洗浄運転を実行するように構成されているので、利用者の都合に応じて洗浄運転を実行することができる。
【００６８】
〔第２洗浄運転実行方法〕
図１を参照して、第２洗浄運転実行方法では、リモコン２０の操作部（図示せず）により利用者が浴室１を使用しない時間帯（例えば、深夜など）である浴室不使用時間帯を予め設定することができ、自動洗浄制御手段Ｘは、洗浄タイミングになり且つその浴室不使用時間帯になったときに、洗浄運転を自動的に実行するように構成されているので、浴室不使用時間帯に合わせて洗浄運転を実行することができる。
【００６９】
〔第３洗浄運転実行方法〕
図１を参照して、第３洗浄運転実行方法では、浴室１の天井に、浴室１における人体の存在を検出する赤外線センサ２５（人体検出手段の一例）が設けられ、自動洗浄制御手段Ｘは、洗浄タイミングになり且つその赤外線センサ２５により人体の存在を検出しなくなったときに、洗浄運転を自動的に実行するように構成されているので、浴室１からの利用者の退去に合わせて洗浄運転を実行することができる。
【００７０】
更に、上記夫々の洗浄運転実行方法において、洗浄運転の実行中に、浴室１に設けられた赤外線センサ２５により人体の存在を検知したときや、ドア２の開閉を検出する近接スイッチ２６によりドア２が開状態となったことを検出したときには、その洗浄運転を一次停止するように構成することが好ましい。
【００７１】
〔別実施形態〕
（１）上記実施の形態において、噴射ノズル１１を、洗浄運転を実行するための洗浄水噴射手段として設けたが、この噴射ノズル１１を、給湯暖房機４０から供給された温水を浴室１に噴射して利用者がその温水のミストを浴びる所謂ミストサウナのために利用しても構わない。
【００７２】
（２）上記実施の形態では、浴室自動洗浄装置を、浴室暖房乾燥機５０の機能の一部として構成したが、浴室暖房乾燥機５０とは別の装置として設けても構わない。
【産業上の利用可能性】
【００７３】
本発明に係る浴室自動洗浄装置は、浴室の衛生状態を良好なものに保ちながら運転コスト及び環境負荷の過剰増加を抑制し得る洗浄タイミングを適切に設定し、その適切な洗浄タイミングに洗浄運転を実行することができる浴室自動洗浄装置として有効に利用可能である。
【図面の簡単な説明】
【００７４】
【図１】浴室自動洗浄装置が設置された浴室の状態を示す図
【図２】第１洗浄時期設定方法の処理フロー図
【図３】第２洗浄時期設定方法の処理フロー図
【図４】第３洗浄時期設定方法の処理フロー図
【図５】第４洗浄時期設定方法の処理フロー図
【符号の説明】
【００７５】
１：浴室
４：床面
１１噴射ノズル（洗浄水噴射手段）
１１ａ床面用噴射ノズル（床面用洗浄水噴射手段）
１１ｂ全体用噴射ノズル（全体用洗浄水噴射手段）
２１：湿度センサ（検出手段）
２２：温度センサ（検出手段）
２５：赤外線センサ（人体検出手段）
３０：制御装置
Ｘ：自動洗浄制御手段
【図１】
2006333909.tif 000003
【図２】
2006333909.tif 000004
【図３】
2006333909.tif 000005
【図４】
2006333909.tif 000006
【図５】
2006333909.tif 000007